(57)【要約】      （修正有）【課題】ガス状流動体中に存在する粒子からガス状流動体をクリーニングするに際し、ガス状流動体中のイオン化及び濾材の荷電に関して、高価な濾材と複雑な装置構成を必要としない簡易化された方法及び装置を提供する。【解決手段】ガス状流動体中に存在する粒子からガス状流動体をクリーニングするための方法及び装置であって、前記ガス状流動体をイオン化し、すなわち前記粒子を荷電し、そして前記イオン化されたガス状流動体を、濾材を含む静電集塵器ユニット２を通過させる方法及び装置であって、濾材がポリプロピレンからなることにより特徴付けられる。【選択図】図１
2010051957.tif 000002
【特許請求の範囲】
【請求項１】
ガス状流動体中に存在する粒子からガス状流動体をクリーニングするための方法であって、前記ガス状流動体はイオン化されており、すなわち、前記粒子は荷電されており、そして前記イオン化されたガス状流動体を、濾材を含む静電集塵器ユニット（２）に通過させる前記方法において、
前記濾材が、電気的に不導性の媒体からなり、かつ、通過する電気的に荷電された粒子により分極される分子（６）を含み、前記濾材中に包含された繊維（７）の表面に電荷が誘導され、前記荷電された粒子が前記繊維（７）に付着することを特徴とする前記方法。
【請求項２】
ガス状流動体中に存在する粒子からガス状流動体をクリーニングするための装置であって、イオン化ユニット（１）及び静電集塵器ユニット（２）を含む前記装置において、
静電集塵器ユニット（２）は電気的に不導性の濾材を含み、この媒体の分子（６）は荷電された場合に容易に分極することを特徴とする装置。
【請求項３】
前記電気的に不導性の濾材がポリプロピレンからなることを特徴とする、請求項２記載の装置。
【請求項４】
前記濾材が微細な濾材であることを特徴とする、請求項２又は３記載の装置。
【請求項５】
前記濾材の繊維（７）が予め荷電されていることを特徴とする、請求項２〜４のいずれか１項に記載の装置。
【請求項６】
前記濾材の繊維（７）が未処理であることを特徴とする、請求項２〜５のいずれか１項に記載の装置。
【発明の詳細な説明】
【技術分野】
【０００１】
本発明は、ガス状流動体中に存在する粒子からガス状流動体をクリーニングするための方法であって、前記ガス状流動体をイオン化し、すなわち前記粒子を荷電し、そして前記イオン化されたガス状流動体を、濾材を含む静電集塵器ユニットに通過させる前記方法に関する。また、本発明は、ガス状流動体をクリーニングするための装置に関する。
【背景技術】
【０００２】
スウェーデン王国特許出願公開第９６０４８１７−８号明細書（ＳＥ−Ａ−９６０４８１７−８）から、当該明細書で定義されるタイプの活性エレクトレットフィルターに関連した装置は以前から知られている。その結果、電気的に不導性の濾材から構成される静電集塵器ユニットに電界が向けられ、そしてこの濾材の分子はこの静電集塵器ユニットに向けられる電界によって容易に分極するか、又は配向する。このような装置構成により、好ましくは前記静電集塵器ユニットを構成する繊維材料の内部に、電界が形成される。この濾材を通過する粒子は、イオン化ユニットにより荷電され、これら繊維と粒子の電荷と極性にそれぞれ依存して、フィルター繊維によりそれぞれ引きつけられたり、反発されたりする。
【先行技術文献】
【特許文献】
【０００３】
【特許文献１】スウェーデン王国特許出願公開第９６０４８１７−８号明細書
【発明の概要】
【０００４】
本発明の目的は、上記定義したタイプの方法及び装置を画定することであり、本発明は、上記「背景技術」の見出しにおいて説明した装置と比較して本質的により簡易化されたものである。本発明の目的は、添付の特許請求の範囲に定義された特徴を与えられた方法及び装置により達成される。
【図面の簡単な説明】
【０００５】
【図１】図１は、本発明の装置の概略図である。
【図２ａ】図２ａは、分極の前及び後の分子の概略図であり、この分子は静電集塵器ユニットの繊維材料中に包含されている。
【図２ｂ】図２ｂは、濾材の分子がどのように配向されるかを示す概略図である。
【図３ａ】図３ａは、濾材中に包含される分極した繊維の間に電界がどのように形成されるのか示す概略図である。
【図３ｂ】図３ｂは、フィルターを通過する荷電した粒子が、濾材中に包含される繊維によりそれぞれどのようにして引きつけられたり、反発されたりするのかを示す概略図である。
【発明を実施するための形態】
【０００６】
図１に示す装置は、イオン化ユニット１を含み、イオン化ユニットはこの態様ではコロナチップ３を含む。しかし、本発明の範囲内では、他のタイプのイオン供給源、例えば石炭繊維ブラシまたはコロナワイヤも使用可能である。また、この装置は、より詳細に以下に説明する静電集塵器ユニット２を含む。
【０００７】
イオン化ユニット１は、公知の方法で高電圧源４を含み、これはコロナチップ３に接続する。イオン化ユニット１は静電集塵器ユニット２に隣接して位置する必要はないが、原則として、本発明の方法及び装置によりクリーニングするガス状流動体を包含する空間内のどこにでも位置できる。
【０００８】
静電集塵器ユニット２は、電気的に不導性の濾材からなるフィルター、好ましくはポリプロピレンの繊維フィルターからなる。また、濾材はいわゆる微細な濾材である場合に有利であり、本発明において微細な濾材とは、１μｍ以上の繊維直径を有し、その繊維間の距離が繊維直径の１０倍である濾材（繊維直径が１μｍのときは繊維間の距離がその繊維直径の１０倍の１０μｍである）として定義する、いわゆる微細な濾材である場合に有利である。このような微細な濾材を通る気流速度は通常２−１０ｃｍ／ｓである。
【０００９】
濾材に包含される繊維は、予め荷電されていないがイオン化ユニットにおいて荷電された粒子により荷電されること、すなわち、粒子が濾材に付着するときに粒子が濾材中の繊維７（図３ａ及び図３ｂを参照）に電荷を放出すること、が好ましい。これは、本発明が好ましくはエレクトレットフィルターを構成しないと表現することもできる。また、繊維７はその他の点において未処理であることが有利である。
【００１０】
本発明の装置は、以下のようにして作用する。イオン化ユニット１が位置する空間において、ガス状流動体、通常、空気は、イオン化ユニット１が放出するイオンによって荷電される粒子を含有する。この点について、イオン化ユニット１は原則として、クリーニングすべきガス状流動体／空気を包含する空間内のどこにでも位置できることを繰り返して言わなければならない。
【００１１】
イオン化ユニット１により荷電された粒子は、適切な方法、例えばファン（図示せず）により、矢印５で示すように、静電集塵器ユニット２に通される。これらの粒子が濾材の繊維を打ったとき、繊維の分子の分極が生じる。陽電荷を有する粒子が図２ａの上方に示す分子６を打った場合、すなわち陽極コロナを用いた場合を想定すると、粒子は図２ａの下方に示すように分極することになる。これに対応して、このように分極した多数の分子６を含む繊維７（図２ｂを参照）は、陰性側面及び陽性側面を有することになる。フィルターを通過する荷電した粒子は、電荷が繊維７の側面に誘導された後、繊維７に付着し、その結果、図２ｂに示すように陽電荷を有する粒子が繊維７の左側に付着することになる。
【００１２】
図３ａでは、分極した分子によって表面電荷が誘導された繊維７が、どのように隣接する繊維７の表面に電荷を誘導するのかが概略的に示される。
図３ｂでは、静電集塵器ユニット２を通過する荷電された粒子８が、繊維７及び粒子８の電荷と極性に依存して繊維７によってそれぞれどのように引きつけられ、そして反発されるのかが概略的に示される。
【００１３】
本発明は、陽極コロナに限定されることはなく、例えば、陰極コロナは陽極コロナよりもオゾンの発生が少ないなどの一定の側面から、陰極コロナが好ましい。
【図１】
2010051957.tif 000003
【図２ａ】
2010051957.tif 000004
【図２ｂ】
2010051957.tif 000005
【図３ａ】
2010051957.tif 000006
【図３ｂ】
2010051957.tif 000007
【外国語明細書】
2010051957000001.pdf